(57)【要約】【課題】マイナスイオン発生装置と、このマイナスイオン発生装置により発生した高電圧によりマイナスイオンを発生させる電極の周囲を帯電しにくくすることにより、マイナスイオンを室内に放出しやすくする。【解決手段】放電式マイナスイオン発生装置２０を非導電性材料よりなるケース２０ａに封入し、前記マイナスイオン発生装置２０により発生した高電圧によりマイナスイオンを発生させる電極２９を非導電性材料よりなる電極取り付けベース３０に取り付け、前記ケース２０ａと電極取り付けベース３０を導電性の取り付け部材３１の中に収納し、この取り付け部材３１を液体燃料燃焼暖房機の金属製の筐体１又は筐体１内の金属構成物に電気的に接続した。【選択図】      図３
2004333047.tif 000002
【特許請求の範囲】
【請求項１】
液体燃料燃焼暖房機の筐体（１）に放電式マイナスイオン発生装置（２０）を具備したものにおいて、前記放電式マイナスイオン発生装置（２０）を非導電性材料よりなるケース（２０ａ）に封入し、前記マイナスイオン発生装置（２０）により発生した高電圧によりマイナスイオンを発生させる電極（２９）を非導電性材料よりなる電極取り付けベース（３０）に取り付け、前記ケース（２０ａ）と電極取り付けベース（３０）を導電性の取り付け部材（３１）の中に収納し、この取り付け部材（３１）を金属製の筐体（１）又は筐体（１）内の金属構成物に電気的に接続したことを特徴とする液体燃料燃焼暖房機。
【発明の詳細な説明】
【０００１】
【発明の属する技術分野】
本発明は、放電式マイナスイオン発生装置を具備した液体燃料燃焼暖房機（以下石油ファンヒータという）に関するものである。
【０００２】
【従来の技術】
【特許文献１】
特開平１１−２１１２３６号公報。
【０００３】
石油ファンヒータは、石油燃料をガス化し、それを燃焼させることにより発生した熱を送風ファンによって筐体外に排出し、居室などの暖房を行なう機器である。
【０００４】
近年、この石油ファンヒータに快適性を増す目的で、マイナスイオンを発生させる装置を内蔵することが考えられており、このマイナスイオン発生器を内蔵したものとして特開平１１−２１１２３６号公報が公知である。
【０００５】
このものは、多数の通気孔を有する収納体のなかに角閃石その他のセラミックスを混合したものを収納してマイナスイオン発生器を構成し、これを筐体前面の温風吹出口より内側の送風経路に設置し、このマイナスイオン発生器に温風を接触させて室内に放出するものである。
【０００６】
しかしこのものは、マイナスイオンの発生量が少なく、快適性を増す効果に疑問があるため、これに代わるものとして針状の電極に高電圧を印加することによりマイナスイオンを発生させる放電式マイナスイオン発生器が実用化され、市場に出回っている。
【０００７】
この放電式マイナスイオン発生器を図５によって説明すると、３１は箱型の形状をした樹脂製の取り付け部材で、この中に非導電性材料よりなるケース２０ａに封入された放電式マイナスイオン発生装置２０と、このマイナスイオン発生装置２０によって発生した高電圧によりマイナスイオンを発生させる電極２９と、この電極２９を取り付けた樹脂等の非導電材料からなる電極取り付けベース３０が収納されている。
【０００８】
そして、この樹脂製の取り付け部材３１は、図１に示す筐体１の前面内壁に固定ネジ２５により取り付けられており、同じく筐体１の前面内壁に設けた温風吐出口１２から吹き出される温風とともに筐体１の前面に放出されるようになっている。
【０００９】
【発明が解決しようとする課題】
図５に示す放電式マイナスイオン発生器は、電極２９からマイナスイオンが発生し、そのマイナスイオンを筐体１の前面内壁に設けた温風吐出口１２から室内に放出するものであるため、その電極２９は前記したように筐体１の前面内壁に取り付けられている。
【００１０】
しかしながら、この放電式マイナスイオン発生器は、上記したように、箱型の形状をした樹脂製の取り付け部材３１の中に非導電性材料よりなるケース２０ａに封入された放電式マイナスイオン発生装置２０と、このマイナスイオン発生装置２０によって発生した高電圧によりマイナスイオンを発生させる電極２９と、この電極２９を取り付けた樹脂等の非導電材料からなる電極取り付けベース３０を収納しているため、樹脂製の取り付け部材３１が帯電してしまうと、マイナスイオンが放出されなくなってしまう。
【００１１】
特に、石油ファンヒータの工場における組み立てラインでは、作業者がこの樹脂製の取り付け部材３１を直接取り扱うため、取り付け部材３１が帯電しやすく、組み立て完成後の検査工程でマイナスイオン発生器の動作を確認する時、不具合がないにもかかわらず、マイナスイオンが放出されないという現象が生じてしまう。
【００１２】
このため、組み立てラインでは、極力帯電させないような作業方法や帯電した電荷を除電する方策などを取らなければならず、組み立て工数がかかり、コストアップとなっていた。
【００１３】
【課題を解決するための手段】
このため本発明では、液体燃料燃焼暖房機の筐体に放電式マイナスイオン発生装置を具備したものにおいて、前記放電式マイナスイオン発生装置を非導電性材料よりなるケースに封入し、前記マイナスイオン発生装置により発生した高電圧によりマイナスイオンを発生させる電極を非導電性材料よりなる電極取り付けベースに取り付け、前記ケースと電極取り付けベースを導電性の取り付け部材の中に収納し、この取り付け部材を液体燃料燃焼暖房機の金属製の筐体又は筐体内の金属構成物に電気的に接続したものである。
【００１４】
これによって、液体燃料燃焼暖房機の組み立て直後であっても放電式マイナスイオン発生装置周囲の帯電を速やかに除去できるため、特に帯電させないような作業方法や帯電した電荷を除電する方策を取らなくて済み、組み立て完成後の検査工程でマイナスイオンの放出を確認することでマイナスイオン発生器の動作を確認することができる。
【００１５】
【発明の実施の形態】
以下、本発明の一実施例を、添付図面を用いて詳細に説明する。
【００１６】
図１、図２は、本発明に係る石油ファンヒータの概略構造を示すもので、１は石油ファンヒータと呼ばれる燃焼温風暖房機の筐体で、一般的には製作面、コスト面から鋼板が使用されている。２はこの筐体１内の下部に備えられたバーナ、３は灯油を気化させる気化器、４はこの気化器３を加熱するヒータである。
【００１７】
８は油受皿、１９はこの油受皿１７に灯油を供給する給油タンクである。
【００１８】
５は油受皿８内の灯油を気化器３に送り込むポンプ、６は気化器３の先端に取り付けられた噴出ノズル、１８はこの噴出ノズル６を開閉する電磁弁、９はバーナ２に燃焼用の空気を送り込むとともに、燃焼によって発生した高温ガスを筐体１外へ送り出す送風ファンで、筐体１の背面に取り付けられている。
【００１９】
１０は温風室で、バーナ２の上部を覆うように設置され、送風ファン９から供給される送風とバーナ２で発生した高温燃焼ガスとの混合が行なわれて温風化するところである。
【００２０】
１２はこの温風室１０で発生した温風が吐き出される温風吐出口（ルーバー）で、筐体１の前面に取り付けられている。
【００２１】
１３は筐体１の上面部に設けられた操作パネルで、図４に示す運転開始指示装置１４、運転停止指示装置１５、室温設定装置１６、設定室温や実際室温等を表示するための運転状態表示器１７が組み込まれている。
【００２２】
７は気化器３の温度を検知する気化器温度検知素子、２１はバーナ２に生じた炎に接することにより炎の存在を検知する炎状態検知装置、２２はバーナ２に点火する点火器である。
【００２３】
２０は筐体１の前面内壁に取り付けられた放電式マイナスイオン発生装置で、電極（図示せず）からマイナスイオンが発生し、そのマイナスイオンを室内、すなわち筐体１外に放出するものである。
【００２４】
図３は、その具体的構造を示しており、以下にその詳細を説明する。
【００２５】
３１は箱型の形状をした金属製の取り付け部材で、この中に非導電性材料よりなるケース２０ａに封入された放電式マイナスイオン発生装置２０と、このマイナスイオン発生装置２０によって発生した高電圧によりマイナスイオンを発生させる電極２９と、この電極２９を取り付けた樹脂等の非導電材料からなる電極取り付けベース３０が収納されている。
【００２６】
前記電極２９は、金属製の取り付け部材３１との絶縁を確保するために該取り付け部材３１と充分な位置と距離を保持して取り付け部材３１内に収納されている。
【００２７】
そして、この取り付け部材３１は、図１に示す石油ファンヒータの筐体１の前面内壁に該筐体１と電極２９との絶縁を確保するのに充分な位置と距離を保持して金属性の固定ネジ２５により取り付けられており、この固定ネジ２５を介して筐体１または筐体１内部の金属構成物と電気的に導通するようになっている。なお、２８はマイナスイオン発生装置２０の電源線である。
【００２８】
上記の構成によって、電極２９間に発生したマイナスイオンは筐体１の前面内壁に設けた温風吐出口１２から吹き出される温風とともに筐体１の前面に放出されるものである。
【００２９】
次に、図４は本発明の制御系統を説明したもので、２３は中央制御装置（マイコン）であり、その入力側にはすでに説明した運転開始指示装置１４、運転停止指示装置１５、室温設定装置１６、炎状態検知装置２１、気化器温度検知素子７及び室温検知装置２７が接続され、出力側にはヒータ４、ポンプ５、送風ファン９、電磁弁１８、運転状況表示器１７、点火器２２及びマイナスイオン発生装置２０が接続されている。
【００３０】
このような構成において、運転開始指示装置１４が操作されて運転の開始が指示されると、中央制御装置２３は気化器３のヒータ４への通電を開始するとともに、気化器温度検知素子７を通して気化器３の温度を検知し、その温度が燃焼開始可能温度に達すると、ポンプ５を作動させて気化器３内の圧力を高め、気化ガスを噴出ノズル６から噴出させる。同時に、点火器２２を作動させてバーナ２に火炎を生成させる。そして炎状態検知装置２１によって炎の存在が確認されたときは、送風ファン９を作動させて温風室１０へ送風し、発生した温風を温風吐出口１２を通して筐体１外へ放出する。
【００３１】
燃焼が開始された後は、中央制御装置２３は気化器３が正常な燃焼を維持するのに必要な温度に維持されるよう、気化器温度検知素子７の信号を監視しながらヒータ４を制御する。
【００３２】
そして、室温設定装置１６によって設定された室温になるように中央制御装置２３はポンプ５の駆動出力を高めて燃焼出力を増やし、一定室温の維持を目指す。逆に室温が高い場合は、中央制御装置２３はポンプ５の駆動出力を低下させて燃焼出力を落し、一定室温の維持を目指す。
【００３３】
一方、この燃焼に同期して中央制御装置２３からマイナスイオン発生装置２０に出力信号を送り、該マイナスイオン発生装置２０を作動させると、このマイナスイオン発生装置２０は高電圧を発生して電極２９間でマイナスイオンを発生し、このマイナスイオンを筐体１の前面内壁に設けた温風吐出口１２から吹き出される温風とともに筐体１の前面に放出し、採暖者に快適性を与える。
【００３４】
上記本発明において、放電式マイナスイオン発生装置２０を非導電性材料よりなるケース２０ａに封入し、このマイナスイオン発生装置２０により発生した高電圧によりマイナスイオンを発生させる電極２９を非導電性材料よりなる電極取り付けベース３０に取り付け、前記ケース２０ａと電極取り付けベース３０を導電性の取り付け部材３１に収納し、この取り付け部材３１を金属製の固定ネジ２５により金属製の筐体１又は筐体１内の金属構成物に電気的に接続したので、マイナスイオン発生装置２０と電極２９の周囲は金属体のみとなり、電気的に導通していて帯電しにくくなる。
【００３５】
従って、液体燃料燃焼暖房機の組み立て直後であっても放電式マイナスイオン発生装置２０周囲の帯電を速やかに除去できるため、特に帯電させないような作業方法や帯電した電荷を除電する方策を取らなくて済み、組み立て完成後の検査工程でマイナスイオンの放出を確認することでマイナスイオン発生器の動作を確認することができる。
【００３６】
【発明の効果】
以上説明したように、本発明は放電式マイナスイオン発生装置を非導電性材料よりなるケースに封入し、このマイナスイオン発生装置により発生した高電圧によりマイナスイオンを発生させる電極を非導電性材料よりなる電極取り付けベースに取り付け、前記ケースと電極取り付けベースを導電性の取り付け部材に収納し、この取り付け部材を金属製の固定ネジにより金属製の筐体又は筐体内の金属構成物に電気的に接続したので、マイナスイオン発生装置と電極の周囲は金属体のみとなり、電気的に導通していて帯電しにくくなる。
【００３７】
これによって、液体燃料燃焼暖房機の組み立て直後であっても放電式マイナスイオン発生装置周囲の帯電を速やかに除去できるため、特に帯電させないような作業方法や帯電した電荷を除電する方策を取らなくて済み、組み立て完成後の検査工程でマイナスイオンの放出を確認することでマイナスイオン発生器の動作を確認することができる。
【図面の簡単な説明】
【図１】本発明の一実施例の概略構成を示す断面図である。
【図２】本発明の燃焼部の概略構成を示す説明図である。
【図３】本発明のマイナスイオン発生装置の概略構成を示す説明図である。
【図４】本発明の制御回路のブロック図である。
【図５】従来のマイナスイオン発生装置の概略構成を示す説明図である。
【符号の説明】
１  筐体
２  バーナ
９  送風ファン
１２  温風吐出口
１４  運転開始指示装置
１５  運転停止指示装置
１６  室温設定装置
１７  運転状態表示器
２０  マイナスイオン発生装置
２３  中央制御装置（マイコン）
２５  固定ネジ
２９  電極
３０  電極取り付けベース
３１  取り付け部材
【図１】
2004333047.tif 000003
【図２】
2004333047.tif 000004
【図３】
2004333047.tif 000005
【図４】
2004333047.tif 000006
【図５】
2004333047.tif 000007